【手続補正書】
【提出日】平成18年7月18日(2006.7.18)
【手続補正１】
【補正対象書類名】明細書
【補正対象項目名】特許請求の範囲
【補正方法】変更
【補正の内容】
【特許請求の範囲】
【請求項１】インクの吐出量が相対的に異なる第１及び第２の記録素子が同列配列された記録素子列を有するインクジェット記録ヘッドであって、
シリアルで入力された記録データを順次格納する格納手段と、
前記格納手段に格納された前記記録データを保持する保持手段と、
前記第１及び第２のどちらの記録素子を駆動するのかを示す選択信号、前記保持手段に保持された記録データ、及び駆動期間を示す駆動信号に応じて各記録素子を駆動する駆動制御回路と、を備えており、
前記記録データが、前記第１及び第２のいずれかの記録素子に対して入力されるように構成されていることを特徴とするインクジェット記録ヘッド。
【請求項２】前記第１及び第２の記録素子は、前記記録素子列において交互に同数配置されており、隣接した前記第１及び第２の記録素子で構成される対に対して１つの記録データが入力されるように構成されていることを特徴とする請求項１に記載のインクジェット記録ヘッド。
【請求項３】前記第１及び第２の記録素子を同数ずつ複数のブロックに分割して駆動するように構成されており、前記記録データが各ブロックに対して入力され、前記駆動制御回路は、前記選択信号、前記保持された記録データ、前記駆動信号、及び駆動すべきブロックを指定するブロック信号に応じて各記録素子を駆動することを特徴とする請求項１又は２に記載のインクジェット記録ヘッド。
【請求項４】前記選択信号が、前記記録データに連続してシリアルで入力され、前記保持手段の出力から分離されていることを特徴とする請求項１から３のいずれか１項に記載のインクジェット記録ヘッド。
【請求項５】複数の色を用いたカラー記録が可能なように、少なくとも２つの色に対して前記記録素子列を有することを特徴とする請求項１から４のいずれか１項に記載のインクジェット記録ヘッド。
【請求項６】前記複数の色が、シアン、マゼンタ、イエロー及びブラックを含むことを特徴とする請求項５に記載のインクジェット記録ヘッド。
【請求項７】前記選択信号が、前記少なくとも２つの記録素子列に別個に入力されることを特徴とする請求項５又は６に記載のインクジェット記録ヘッド。
【請求項８】前記選択信号が、前記少なくとも２つの記録素子列に共通に入力されることを特徴とする請求項５又は６に記載のインクジェット記録ヘッド。
【請求項９】前記記録素子が、熱エネルギーを利用して記録を行うことを特徴とする請求項１から８のいずれか１項に記載のインクジェット記録ヘッド。
【請求項１０】インクの吐出量が相対的に異なる第１及び第２の記録素子が同列配列された記録素子列を有するインクジェット記録ヘッドの駆動方法であって、
前記第１及び第２のいずれかの記録素子に対する記録データをシリアルで入力するデータ入力工程と、
入力された前記記録データを順次格納する格納工程と、
前記格納された記録データを保持する保持工程と、
前記第１及び第２のどちらの記録素子を駆動するのかを示す選択信号を入力する選択工程と、
駆動期間を示す駆動信号を入力する駆動指定工程と、
前記保持された記録データ、前記選択信号、及び前記駆動信号に応じて各記録素子を駆動する駆動制御工程と、を備えることを特徴とするインクジェット記録ヘッドの駆動方法。
【請求項１１】前記第１及び第２の記録素子は、前記記録素子列において交互に同数配置されており、前記データ入力工程において、隣接した前記第１及び第２の記録素子で構成される対に対して１つの記録データを入力することを特徴とする請求項１０に記載のインクジェット記録ヘッドの駆動方法。
【請求項１２】前記第１及び第２の記録素子を同数ずつ複数のブロックに分割する分割工程と、駆動すべきブロックを指定するブロック信号を入力するブロック指定工程とを更に備え、
前記データ入力工程において、前記記録データを各ブロックに対して入力し、前記駆動制御工程において、前記選択信号、前記保持された記録データ、前記駆動信号、及び前記ブロック信号に応じて各記録素子を駆動することを特徴とする請求項１０又は１１に記載のインクジェット記録ヘッドの駆動方法。
【請求項１３】前記データ入力工程において、前記選択信号を前記記録データに連続してシリアルで入力し、前記保持された記録データから前記選択信号を分離する工程を更に含むことを特徴とする請求項１０から１２のいずれか１項に記載のインクジェット記録ヘッドの駆動方法。
【請求項１４】前記記録ヘッドは、複数の色を用いたカラー記録が可能なように、少なくとも２つの色に対して前記記録素子列を有しており、前記選択工程において、前記選択信号を前記少なくとも２つの記録素子列に別個に入力することを特徴とする請求項１０から１３のいずれか１項に記載のインクジェット記録ヘッドの駆動方法。
【請求項１５】前記記録ヘッドは、複数の色を用いたカラー記録が可能なように、少なくとも２つの色に対して前記記録素子列を有しており、前記選択工程において、前記選択信号を前記少なくとも２つの記録素子列に共通に入力することを特徴とする請求項１０から１３のいずれか１項に記載のインクジェット記録ヘッドの駆動方法。
【請求項１６】インクの吐出量が相対的に異なる第１及び第２の記録素子を有するインクジェット記録ヘッドであって、
シリアルで入力された記録データを順次格納する格納手段と、
前記格納手段に格納された前記記録データを保持する保持手段と、
前記第１及び第２のどちらの記録素子を駆動するのかを示す選択信号、前記保持手段に保持された記録データ、及び駆動期間を示す駆動信号に応じて各記録素子を駆動する駆動制御回路と、を備えており、
前記記録データと前記選択信号がシリアル入力される信号線とを有するインクジェット記録ヘッド。
【請求項１７】前記信号線には前記選択信号に続いて前記記録データがシリアルに入力されることを特徴とする請求項１６に記載のインクジェット記録ヘッド。
【請求項１８】前記記録データは、１回の入力あたり前記第１及び第２のいずれかの記録素子に対してのデータが入力されるように構成されていることを特徴とする請求項１７に記載のインクジェット記録ヘッド。
【請求項１９】インクの吐出量が相対的に異なる第１及び第２の記録素子を有するインクジェット記録ヘッドの駆動方法であって、
シリアルで入力された記録データを順次格納する格納工程と、
前記格納された記録データを保持する保持工程と、
前記第１及び第２のどちらの記録素子を駆動するのかを示す選択信号を入力する工程と、
前記保持された記録データ、及び駆動期間を示す駆動信号に応じて各記録素子を駆動する駆動制御工程と、を備えており、
前記記録データと前記選択信号とがシリアルで同じ信号線から入力されることを特徴とするインクジェット記録ヘッドの駆動方法。
【請求項２０】前記信号線には前記選択信号に続いて前記記録データがシリアルで入力されることを特徴とする請求項１９に記載のインクジェット記録ヘッドの駆動方法。
【請求項２１】複数のヒータを備え、該ヒータは発生する熱エネルギーを利用してインクを吐出するインクジェット記録ヘッド用の基板であって、
前記ヒータはｎ個毎のｍ個のグループに分けられており、
各ヒータを駆動する各ヒータに対応して設けられたｍ×ｎ個の駆動回路と、
入力されたデータについて、前記ヒータのｍ個を駆動するための画像データと、前記ｍ個のグループおよび各グループを構成するｎ個のヒータを選択する信号とに分ける選択データ転送回路と、
前記選択データ転送回路からの前記ヒータのｍ個を駆動するための画像データを入力し、ｍ個の各グループを構成するヒータに対して各グループ毎に画像データを供給する保持回路と、
前記選択データ転送回路からの前記ｍ個のグループおよび各グループを構成するｎ個のヒータを選択する信号を入力し、前記駆動回路を介して駆動する前記ヒータを選択する選択データ保持回路と、
前記ｎ個のヒータはインク供給口を挟んで千鳥状に対向配列されており、前記選択データ保持回路は各グループを構成するｎ個のヒータのうちのいずれか一つを選択することを特徴とするインクジェット記録ヘッド用基板。